(57)【要約】【課題】二連エアゾール式混合容器において、ヘッド部材押下げの仕方によっては、一方エアゾール缶内液状体だけが噴出して、両エアゾール缶内液状体の混合噴出が不能となることがあったから、このようなことを防止できるようにした。【解決手段】左右一対として緊縛したエアゾール缶１，１上部に下半部を嵌着させた保持筒１１内面の一部と、上記両エアゾール缶から起立するステム２，２へ、下面左右両部から垂設させた脚筒３４，３４　を嵌合させて、上記保持筒１１内へ上方付勢させて上下動可能に嵌合させた、ノズル３５付きのヘッド部材３１外面の一部とに、第１、第２突部２２，３９　を付設して、ヘッド部材上下動時に第２突部３９が第１突部２２を強制乗越えするよう設け、該強制乗越えの瞬間に脚筒内面のフランジ３６下面がステム２，２上面へ接し、続けてヘッド部材が下降することでステムの押下げが可能とした。【選択図】　図１
2004090990.tif 000002
【特許請求の範囲】
【請求項１】
頂壁中央部から上方付勢されて起立するステム２を有し、異種液状体を収納され、かつ左右一対として緊縛されたエアゾール缶１，１を、保持筒１１の下部内へ嵌着させると共に、該保持筒上部内へ、横長通路を有する横長中空箱３３の左右から脚筒３４，３４　を垂下すると共に、左右方向中間部からノズル３５を前方突出するヘッド部材３１をステムの上部外面へ脚筒を嵌合させて上下動自在に、かつヘッド部材下降によりノズルから混合液状体が噴出可能に装着させた二連エアゾール式混合容器において、
上記ヘッド部材３１を上方付勢させると共に、脚筒３４，３４　内面にフランジ３６，３６　を付設し、該フランジ下方の脚筒部分内へ間隙３７，３７　をおいてステム２，２上部を遊挿させ、又保持筒１１の内面一部に第１突部２２を、かつヘッド部材３１の一部に第２突部３９を、それぞれ付設し、ヘッド部材下降により第２突部３９が第１突部２２を強制乗越えしたとき、フランジ３６，３６　下面がステム２，２の上面へ接し、更にヘッド部材３１が下降することでステムの押下げが可能に形成した
ことを特徴とする二連エアゾール式混合容器。
【請求項２】
上記保持筒内面の一部ないしヘッド部材外面の一部を第２板バネ２１に形成して、該第２板バネ自由端に第１ないし第２突部２２，３９　を付設したことを特徴とする請求項１記載の二連エアゾール式混合容器。
【請求項３】
上記ノズル３５内へ、表裏二条のねじ溝４２付きスクリュー状部材４１を嵌着させた
ことを特徴とする、請求項１又は２記載の二連エアゾール式混合容器。
【請求項４】
上記ヘッド部材３１上方の保持筒１１部分内へ、レバー付きキャップ状部材５１の筒部５３を嵌合させ、レバー５８は、前端部をキャップ状部材の頂壁５２前部へ肉薄ヒンジ５７を介して連結すると共に、後端部を横長中空箱３３よりも後方まで突出させ、又レバー５８前部の下面部分ないし該下面部分と対向する横長中空箱上面部分との、いずれかの一方に、レバー作用点形成用の突部５９を付設して形成させた
ことを特徴とする、請求項１、２、又は３記載の二連エアゾール式混合容器。
【請求項５】
上記キャップ状部材５１を保持筒１１に対して前後方向への揺動が不能に装着させると共に該キャップ状部材の頂壁５２外周から垂下する筒部５３内へ、ヘッド部材３１の横長中空箱３３を上下動可能に嵌合させ、該横長中空箱３３の左右両側外面とキャップ状部材筒部５３の左右両側部内面とには、互いに嵌合させた凹凸いずれかの第１、第２係合条を縦設して、キャップ状部材５１に対してヘッド部材３１が前後方向へ揺動することを防止させた
ことを特徴とする請求項４記載の二連エアゾール式混合容器。
【発明の詳細な説明】
【０００１】
【発明の属する技術分野】
本発明は二連エアゾール式混合容器に関する。
【０００２】
【従来の技術】
例えば特開平１１−３３４７６７　号が示すように、異種液体を収納させたエアゾール缶を左右一対として緊縛し、これ等両缶上部を保持筒下部内へ嵌着させ、又横長中空箱の左右両部から脚筒を垂下し、かつ横長中空箱中間部からノズルを前方突出するヘッド部材を設けて上記保持筒上部内へ嵌合させ、両脚筒を上記エアゾール缶頂壁から上方付勢されて起立するステムの上部へ嵌合させて、ヘッド部材押下げにより両ステムが押下げられて、両エアゾール缶内液体がステムおよびヘッド部材内を通ってノズルから混合して噴出するよう設けた二連エアゾール式混合容器が知られている。
【０００３】
【発明が解決しようとする課題】
上記従来の容器は、例えば毛染め用として使用されており、通常問題なく使用されているが、缶のバラツキ、特にステムの高さ等が微妙に違っていることから、使用者が、特に初めてこのタイプの容器を使用する場合は、液体噴出量がどの程度か解らないためヘッド部材をゆっくり押下げることがある。すると、いずれか一方のステムだけから液体を噴出することとなり、そのままの状態を継続すると片方のエアゾール缶内液体だけが噴出して、他方缶内液体の噴出がなく、二液の混合ができないこととなることがあった。
【０００４】
本発明はそのような事態の発生を防止することを主たる目的とするものであり、併せて混合液状体噴出と同時に音が発生して、聴覚によっても液状体噴出を知ることが可能とし、又ノズル内における異種液状体の混合をよくし、更にヘッド部材の押下げが容易で、かつ押下げヘッドの前後方向揺動を阻止して混合液状体が一定角度を保って常に前方へ噴出するよう設けたものである。尚本発明において液状体とは泡、クリームを含むものとする。
【０００５】
【課題を解決するための手段】
第１の手段として頂壁中央部から上方付勢されて起立するステム２を有し、異種液状体を収納され、かつ左右一対として緊縛されたエアゾール缶１，１を、保持筒１１の下部内へ嵌着させると共に、該保持筒上部内へ、横長通路を有する横長中空箱３３の左右から脚筒３４，３４　を垂下すると共に、左右方向中間部からノズル３５を前方突出するヘッド部材３１をステムの上部外面へ脚筒を嵌合させて上下動自在に、かつヘッド部材下降によりノズルから混合液状体が噴出可能に装着させた二連エアゾール式混合容器において、
上記ヘッド部材３１を上方付勢させると共に、脚筒３４，３４　内面にフランジ３６，３６　を付設し、該フランジ下方の脚筒部分内へ間隙３７，３７　をおいてステム２，２上部を遊挿させ、又保持筒１１の内面一部に第１突部２２を、かつヘッド部材３１の一部に第２突部３９を、それぞれ付設し、ヘッド部材下降により第２突部３９が第１突部２２を強制乗越えしたとき、フランジ３６，３６　下面がステム２，２の上面へ接し、更にヘッド部材３１が下降することでステムの押下げが可能に形成した。
【０００６】
第２の手段として、上記第１の手段を有すると共に上記保持筒内面の一部ないしヘッド部材外面の一部を第２板バネ２１に形成して、該第２板バネ自由端に第１ないし第２突部２２，３９　を付設した。
【０００７】
第３の手段として、上記第１又は第２の手段を有すると共に上記ノズル３５内へ、表裏二条のねじ溝４２付きスクリュー状部材４１を嵌着させた。
【０００８】
第４の手段として、上記第１、第２又は第３の手段を有すると共に上記ヘッド部材３１上方の保持筒１１部分内へ、レバー付きキャップ状部材５１の筒部５３を嵌合させ、レバー５８は、前端部をキャップ状部材の頂壁５２前部へ肉薄ヒンジ５７を介して連結すると共に、後端部を横長中空箱３３よりも後方まで突出させ、又レバー５８前部の下面部分ないし該下面部分と対向する横長中空箱上面部分との、いずれかの一方に、レバー作用点形成用の突部５９を付設して形成させた。
【０００９】
第５の手段として、上記第４の手段を有すると共に上記キャップ状部材５１を保持筒１１に対して前後方向への揺動が不能に装着させると共に該キャップ状部材の頂壁５２外周から垂下する筒部５３内へ、ヘッド部材３１の横長中空箱３３を上下動可能に嵌合させ、該横長中空箱３３の左右両側外面とキャップ状部材筒部５３の左右両側部内面とには、互いに嵌合させた凹凸いずれかの第１、第２係合条を縦設して、キャップ状部材５１に対してヘッド部材３１が前後方向へ揺動することを防止させた。
【００１０】
【発明の実施の形態】
以下図面について説明すると、１は周知のエアゾール缶で、その頂壁中央部を貫通させてステム２が上方付勢させて起立させてあり、付勢に抗して該ステムを押下げすると、ステム下端に設けられた吐出弁が開いて缶内液状体がステム内を通って噴出し、ステムが上方へ弾性復帰すると吐出弁が閉じ、液状体噴出も停止する。そのエアゾール缶は左右一対とし、それぞれ他方に対して異る液状体を収納させている。尚異る液状体とは色だけ変えたものを含むものとする。
【００１１】
上記両エアゾール缶は左右一対として連結筒３内面へ緊密に嵌合され、緊縛されている。
【００１２】
１１は保持筒で、該保持筒下部を上記緊縛された一対のエアゾール缶上部へ嵌着させている。該保持筒は、その筒部上端に付設した内向きのフランジ１２内周から、図４のように左右両側部に下面開口割溝１３，１３　を有する内筒１４を垂下して内外二重筒に形成し、かつその内筒下端の左右方向中間部を連続させて仕切壁１５としている。又上記二重筒部分上部のうち、左右方向中間部は上面および前後方向開放の凹部１６，１６　とし、かつ前方凹部の左右両フランジ部分の上下には係合突条１７，１７　を横設し、かつこれ等両係合突条間上方のフランジ部分に透孔１８，１８　を穿設している。上記仕切壁１５の左右両側の前後両部からは第１板バネ１９，１９　を左右両側上方へ弯曲させて突出し、仕切壁１５後縁上方の内筒部分にはＵ字状の切離し溝２０を穿設して該溝内方の板部分を第２板バネ２１とし、該第２板バネの下端内面に第１突部２２を横設している。
【００１３】
尚図示例にあっては、保持筒１１の左右側壁一部を、上下方向中間部の前後に連結部２３，２３　を有する揺動板２４に形成し、該揺動板下部に横孔２５を穿設させて該横孔内へ、既述連結筒３外面に周設した突条４一部が嵌合して、該連結筒外面からの保持筒抜出しを防止させ、揺動板２４上部を内方へ押込みすることで突条４から横孔２５が外れて保持筒１１の上方抜出しが可能としている。
【００１４】
３１は、横長通路３２を有する横長中空箱３３の左右両部下面から脚筒３４，３４　を垂下し、かつ横長中空箱３３の左右方向中間部からノズル３５を前方突出するヘッド部材で、上記脚筒３４，３４　を既述ステム２，２の上部外面へ嵌合させて、図１が示すように保持筒１１の上部内へ上下動可能に嵌合させている。脚筒３４はその下部内面に内向きフランジ３６を有し、該フランジ下方の脚筒部分内へ、図１が示すようにステム２，２上部を、フランジ３６，３６　下面とステム２上面との間に間隙３７，３７　をおいて遊挿させている。又横長中空箱の左右方向中間部下面後部からは係合板３８を後方突出させてその後端部が形成する第２突部３９を既述第１突部２２上面へ係合させており、図２が示すようにヘッド部材３１押下げにより第２突部３９が第１突部２２を強制乗越えしたとき、上記フランジ３６，３６　下面がステム２，２上面へ接するよう設けている。更に横長中空箱３３の左右外面には第１ガイド板４０，４０　を垂直に縦設している。
【００１５】
上記ノズル３５内へは、表裏両面にねじ溝４２，４２　付きのスクリュー部材４１を嵌着させた。そのスクリュー部材前端面へは短筒４３を付設しており、その短筒の左右両側には突部を設けてノズル孔前端部内面に設けた凹部内へ嵌合させることで、回動しないよう設けている。又そのスクリュー状部材の羽根状部分外縁の複数箇所には切欠き４４を設けている。実験によれば、該切欠き付きスクリュー部材４１をノズル３５内へ嵌合させ、異色の粘性に富むクリーム状液状体を噴出させると、二色に絡み合って組紐状に注出されるクリーム状物のうち、一色のねじれたクリーム状部分外面に、他色のクリームをストライプ状に混入させることが出来た。
【００１６】
５１は、レバー付きのキャップ状部材で、左右方向へ長く、楕円形状に形成させた頂壁５２外周から垂下する筒部５３を図１が示すように保持筒１１の上部内面へ嵌着させている。又その筒部のうち、左右方向中間部の前後両部分は切欠きしており、又頂壁前部の左右方向中間部は前方へ延長させ、該延長板５４の左右両側および前縁からは側板５５，５５　および前板５６を垂下させ、該前板の左右方向中間下部は切欠きしている。又該キャップ状部材の筒部５３内へは既述横長中空箱３３を上下動可能に嵌合させており、上記切欠き内へノズル３５上部を嵌合させている。
【００１７】
頂壁５２はその前部および左右両側部、更に後部の左右両側部分を除いて、その他部分を、頂壁前部と肉薄ヒンジ５７で連結させたレバー５８としており該レバーは後部を後方へ延長させ保持筒１１の後方凹部１６の上部内まで突出させている。又該レバー前部の下面には、突部５９を横設させて横長中空箱３３の上面へ載置させ、レバー後端部押下げによりヘッド部材３１を押下げ可能としている。上記突部５９は横長中空箱上面へ付設してもよい。
【００１８】
更に該キャップ状部材は、図４が示すようにその筒部５３の左右両側面上端部に横長突部状の第２ガイド板６０，６０　を横設しており、これ等両第１ガイド板を、保持筒上部内筒１４の左右両側に穿設した割溝１３，１３　内へ嵌合させ、両第２ガイド板上面を割溝上面へ係合させることで、キャップ状部材５１の上方抜出しが不能としている。又キャップ状部材筒部５３の左右両側部内面に下端面開口の縦溝６１，６１　を穿設しており、これ等縦溝内へ、ヘッド部材左右外面へ縦設した第１ガイド板４０，４０　を上下動可能に嵌合させている。
【００１９】
又既述側板５５の左右両部外面上部に第３ガイド板６２，６２　を横設し、これ等第３ガイド板を透孔１８，１８　内へ上下動可能に嵌合させ、既述第２ガイド板６０，６０　上面が割溝１３，１３　の上面へ係合する状態で、第３ガイド板６２，６２　の上面も、上方係合突条１７，１７　の下面へ係合するよう設けている。
【００２０】
上記構成において、図１の状態からレバー５８を、第１板バネ１９の弾性に抗して押下げすると、図２のようにレバー５８下面の作用点形成用突部５９がヘッド部材３１を押下げ、該押下げによって係合板３８後端部が形成する第２突部３９が保持筒１１の第１突部２２を強制乗越えし、該強制乗越え時に脚筒３４内面のフランジ３６，３６　下面へステム２，２上面が接し、上記強制乗越えによる慣性で、続けてヘッド部材が押下げられることで、図３が示すように上記フランジ３６，３６　がステム２，２を押下げ、よってステム下端の吐出弁が開いてエアゾール缶内液状体がステム２、脚筒３４，３４　、ノズル３５を通って注出されることとなる。
【００２１】
レバー後端部を離すと、ステム２，２は上方付勢されているため上昇し、又ヘッド部材３１およびレバー５８は第１板バネ１９，１９　の弾性復元により復帰する。
【００２２】
尚ヘッド部材３１は、横長中空箱３３の左右両側部外面に縦設した突状の第１ガイド板４０，４０　が、キャップ状部材筒部５３の左右両側部内面に縦設した、ほぼ同一横巾の凹状の縦溝６１，６１　内へ嵌合されているため、その上下動において前後方向へ揺動することがなく、又キャップ状部材５１も筒部５３を保持筒１１の上部内へ嵌合させているため、該保持筒１１に対してキャップ状部材５１が前後方向へ揺動することもない。
【００２３】
既述各部材はそれぞれ適宜合成樹脂材で成形している。
【００２４】
【発明の効果】
本発明は既述構成とするもので、請求項１記載のようにすることで、ヘッド部材３１の押下げは、第２突部３９が第１突部２２を強制乗越えできる程度に強く行うことが必要となり、又その強制押下げによって第２突部３９が第１突部２２を乗越えすると、第２突部３９は、その下降を妨げていた第１突部２２から急に解放されることで、そのまま急激に下降し、両ステム２，２を共に押下げすることとなる。
【００２５】
よって既述従来例の場合のように、一方のステムだけを僅かに押下げて、該一方のステムだけから液状体を噴出させる操作は不可能とすることが出来る。
【００２６】
請求項２記載の構成とすることで、第１突部２２を第２突部３９が強制乗越えしたとき、その乗越え時ないし板バネの弾性復元時に撥音を発することとなり、よって視覚触覚のほか、聴覚によってもヘッド部材３１の作動状態を確認できる便利がある。
【００２７】
請求項３のようにすることで、両噴出液状体の混合が確実となり、噴出液状体を粘性の高いかつ異色のクリーム状物とすれば、二色で絡み合う紐状として注出させることが出来る。
【００２８】
請求項４のようにすることで、ヘッド部材の押下げをレバーで行うことが出来てその操作が容易となる。
【００２９】
請求項５のようにすることで、ヘッド部材が上下動に際して前後方向に揺動することがなく、常にその上下動を安定して行うことが出来る。
【図面の簡単な説明】
【図１】本発明容器の縦断面図である。
【図２】ヘッド部材の第２突部が保持筒の第１突部を強制乗越えした瞬間の縦断面図である。
【図３】キャップ状部材のレバーを下限まで押下げた状態を示す断面図である。
【図４】エアゾール缶を除く、他の主要部材の分解斜視図である。
【符号の説明】
１…エアゾール缶　　　　　　　　　　　　　　１１…保持筒
３１…ヘッド部材　　　　　　　　　　　　　　４１…スクリュー部材
５１…キャップ状部材
【図１】
2004090990.tif 000003
【図２】
2004090990.tif 000004
【図３】
2004090990.tif 000005
【図４】
2004090990.tif 000006